(57)【要約】【課題】  ゴルフのクラブ、テニスのラケット、野球のバット等のグリップを握る際の握力を補強し、スイング軌道を安定させるとともに、グリップが緩むのを防止する。【解決手段】  少なくとも１本の指を被嵌状態とする主要部と、この主要部に取り付けられている突出部とを具える。グリップ補助具１を少なくとも一つの指に装着した状態で例えばゴルフクラブのグリップ２０を握ると、バンド部２あるいは本体部２２による締付け力によって大きな握力を得ることができて、クラブのスイング軌道を安定させ、スイング中にグリップ２０に緩みが生じるのが防止される。【選択図】        図３
2006198235.tif 000002
【特許請求の範囲】
【請求項１】
少なくとも１本の指を被嵌状態とする主要部と、この主要部に取り付けられている突出部とを具えたことを特徴とするグリップ補助具。
【請求項２】
前記主要部は筒状をなす本体部であり、前記突出部は前記本体部に一体に設けられた突起部である請求項１記載のグリップ補助具。
【請求項３】
前記主要部はベルト状をなすバンド部と、この主要部の両端に設けられて指を周回して保持する固着手段を有し、この固着手段による保持時に前記突出部が形成される請求項１記載のグリップ補助具。
【請求項４】
前記バンド部は、手指の中指と薬指とを一緒に周回するように構成されている請求項３記載のグリップ補助具。
【請求項５】
前記バンド部は、手指の中指と薬指とを別々に周回するように構成されている請求項３記載のグリップ補助具。
【請求項６】
前記固着手段は、前記ベルト部の両端部に設けられる面ファスナーである請求項３、４記載のグリップ補助具。
【請求項７】
前記バンド部は、弾性を有する素材からなる外バンド部と、該外バンド部の内側に一体に設けられて外バンド部よりも軟質の弾性を有する素材からなる内バンド部とからなる請求項３、４記載のグリップ補助具。
【請求項８】
前記グリップ補助具を具えたことを特徴とする手袋。
【発明の詳細な説明】
【技術分野】
【０００１】
本発明は、グリップ補助具及び手袋に関し、特に、ゴルフ、テニス、野球等のスポーツに有効なグリップ補助具及び手袋に関するものである。
【背景技術】
【０００２】
一般に、ゴルフのクラブ、テニスのラケット、野球のバット等によりボールを打とうとする場合、クラブ、ラケット、バット等のスイング軌道を安定させるため、スイング中グリップを一定の力で握り続け、グリップが緩んだり、手首の角度がブレたりするのを防止する必要がある。特に、ボールを打つインパクトの瞬間には、インパクトの衝撃に耐え得る力で握る必要がある。
【０００３】
しかし、握力の弱い女性等は、スイング軌道を安定させるのに十分な力でグリップを握ることができず、グリップに緩みが生じたり、手首の角度にブレが生じたりすることがあり、上達を妨げる原因となる。
【０００４】
ゴルフのスイング中における手首のブレを防止するため、手の甲から手首にかけて板状の硬質の甲当て部を密着させ、この甲当て部の端部に設けた手首固定部を手首に固着させることにより、手首の角度を一定に保つように構成した保護具が提案されている（例えば、特許文献１参照。）。
【０００５】
しかし、特許文献１に記載されている保護具は、手首の角度を固定することはできるものの、握力を補強する機能は備えていないため、ボールを打つインパクトの瞬間にグリップが緩むことは避けられない。
【特許文献１】実公平５−８２４６６号公報
【発明の開示】
【発明が解決しようとする課題】
【０００６】
本発明は、上記のような従来の問題を解決したものであって、ゴルフのクラブ、テニスのラケット、野球のバット等をスイングしてボールを打つ場合に、スイング軌道を安定させることができるとともに、ボールを打つインパクトの瞬間にグリップに緩みが生じたり、手首の角度にブレが生じたりするようなことがないグリップ補助具を提供することを目的とするものである。
【課題を解決するための手段】
【０００７】
上記のような課題を解決するために、本発明の請求項１に係るグリップ補助具は、少なくとも１本の指を被嵌状態とする主要部と、この主要部に取り付けられている突出部とを具えた手段を採用している。
【０００８】
また、本発明の請求項２に係るグリップ補助具は、前記主要部は筒状をなす本体部であり、前記突出部は前記本体部に一体に設けられた突起部である手段を採用している。
【０００９】
さらに、本発明の請求項３に係るグリップ補助具は、前記主要部はベルト状をなすバンド部と、この主要部の両端に設けられて指を周回して保持する固着手段を有し、この固着手段による保持時に前記突出部が形成される手段を採用している。
【００１０】
さらに、本発明の請求項４に係るグリップ補助具は、前記バンド部は、手指の中指と薬指とを一緒に周回する手段を採用している。
【００１１】
さらに、本発明の請求項５に係るグリップ補助具は、前記バンド部は、手指の中指と薬指とを別々に周回する手段を採用している。
【００１２】
さらに、本発明の請求項６に係るグリップ補助具は、前記固着手段は、前記ベルト部の両端部に設けられる面ファスナーである手段を採用している。
【００１３】
さらに、本発明の請求項７に係るグリップ補助具は、前記バンド部は、弾性を有する素材からなる外バンド部と、該外バンド部の内側に一体に設けられて外バンド部よりも軟質の弾性を有する素材からなる内バンド部とからなる手段を採用している。
【００１４】
さらに、本発明の請求項８に係る手袋は、グリップ補助具を具えてなる手段を採用している。
【発明の効果】
【００１５】
本発明は、前記のように構成したことにより、少なくとも１本の指を被嵌状態とする主要部と、この主要部に取り付けられている突出部によって指を締め付けることにより、手を握った際に手の握力が補強されることになる。したがって、握力の弱い女性等がゴルフのクラブ、テニスのラケット、野球のバット等を握る場合に握力が補強されることになるので、クラブ、ラケット、バット等のスイング軌道を安定させることができるとともに、ボールを打つ瞬間にインパクトの衝撃によってグリップが緩んだり、手首がブレるようなことはなく、ボールの飛球方向を安定させることができる。この結果、グリップを握る力が弱い女性等であっても、そのことによって上達が阻害されるようなことがなくなる。
【発明を実施するための最良の形態】
【００１６】
以下、図面に示す本発明の実施の形態について説明する。
図１〜図３には、本発明によるグリップ補助具の第１の実施の形態が示されていて、このグリップ補助具１は、主要部となる帯状のバンド部２と、このバンド部２の端部を固着して突出部となる固着手段８とを具えている。すなわち、手指の中指１０の第２関節１１と第３関節１２との間及び薬指１３の第２関節１４と第３関節１５との間を周回するバンド部２と、バンド部２を手指の中指１０の第２関節１１と第３関節１２との間及び薬指１３の第２関節１４と第３関節１５との間を周回した状態に固着させる固着手段８とを具えている。
【００１７】
バンド部２は、弾性を有する素材からなる帯状をなすものであって、手指の中指１０の第２関節１１と第３関節１２との間及び薬指１３の第２関節１４と第３関節１５との間を周回し、この状態で両端部が互いに重合し得る長さに形成される。バンド部２の素材としては、各種のゴム、合成樹脂等を挙げることができる。
【００１８】
バンド部２は、図４に示すように、外バンド部３と、この外バンド部３の内側に一体に設けられる内バンド部４とからなる二層構造に構成しても良い。この場合、内バンド部４を外バンド部３よりも軟質の弾性を有する素材で形成することにより、装着感を高めることができる。また、内バンド部４に内方に突出する複数の突起５を設け、各突起５を中指１０及び薬指１３の腹の部分（内側の部分）に当接させることにより、その部分を刺激するように構成しても良い。突起５の形状は特に制限されるものではなく、この実施の形態においては表面を球面に形成している。
【００１９】
バンド部２の両端部には、図１に示すように、突出部となる固着手段８が設けられ、この固着手段８によりバンド部２が手指の中指１０の第２関節１１と第３関節１２との間及び薬指１３の第２関節１４と第３関節１５との間を周回した状態に固着される。固着手段８としては、バンド部２の両端部間を接離させる機能を備えたものであれば特に制限はなく、例えば市販の面ファスナー（マジックテープ（登録商標、（株）クラレ）等）を挙げることができる。面ファスナーを使用する場合には、面ファスナーのフックをバンド部２の一方の端部に設け、ループを他方の端部に設けることにより、バンド部２の両端部間を接離可能に構成することができる。
【００２０】
そして、上記のように構成したこの実施の形態によるグリップ補助具１のバンド部２を、図２に示すように、手指の中指１０の第２関節１１と第３関節１２との間及び薬指１３の第２関節１４と第３関節１５との間に周回させ、バンド部２の両端部を互いに重合させて、両端部の固着手段８によりバンド部２を手指の中指１０の第２関節１１と第３関節１２との間及び薬指１３の第２関節１４と第３関節１５との間を締め付けた状態に固着させる。
【００２１】
そして、図３に示すように、グリップ補助具１を手指の中指１０及び薬指１３に装着した状態で例えばゴルフクラブのグリップ２０を握ると、バンド部２の締付け力によって手の甲の部分に握力を強める方向への力が加わり、この力によってグリップを握る力が補強されることになる。
【００２２】
したがって、クラブをスイングする際に、クラブのスイング軌道を安定させることができるとともに、ボールを打つインパクトの瞬間に、グリップに緩みが生じたり、手首がブレたりするのを防止でき、ボールの飛球方向を安定させることができる。
【００２３】
図５〜図７には、本発明によるグリップ補助具の第２の実施の形態が示されていて、このグリップ補助具１は、バンド部２を２つに形成してある。すなわち、手指の中指１０の第２関節１１と第３関節１２との間を周回する第１バンド部６と、薬指１３の第２関節１４と第３関節１５との間を周回する第２バンド部７とによって構成してある。そして第１バンド部６と第２バンド部７との間を接着等で一体に連結したものであって、その他の構成は前記第１の実施の形態に示すものと同様である。
【００２４】
この場合、第１バンド部６の両端部には固着手段８（例えば面ファスナー）が設けられ、第２バンド部７の両端部には固着手段８（例えば面ファスナー）が設けられ、第１バンド部６の固着手段８により第１バンド部６を中指１０の第２関節１１と第３関節１２との間を締め付けた状態に固着させ、第２バンド部７の固着手段８により第２バンド部７を薬指１３の第２関節１４と第３関節１５との間を締め付けた状態に固着させることができる。
【００２５】
そして、この実施の形態によるグリップ補助具１にあっても、第１の実施の形態に示すものと同様に、図７に示すように、例えばゴルフクラブのグリップ２０を握ると、バンド部２の締付け力によって手の甲の部分に握力を強める方向への力が加わり、この力によってグリップ２０を握る力が補強されることになる。
【００２６】
したがって、クラブをスイングする際に、クラブのスイング軌道を安定させることができるとともに、ボールを打つインパクトの瞬間に、グリップ２０に緩みが生じたり、手首がブレたりするのを防止でき、ボールの飛球方向を安定させることができる。
【００２７】
なお、前記の説明においては、グリップ補助具１を直接に中指１０の第２関節１１と第３関節１２との間及び薬指１３の第２関節１４と第３関節１５との間に周回させたが、中指１０と薬指１３との内側を肉厚にするのであれば、位置は限定されるものではなく、両指１０、１３の内側全面であっても良い。また、図示はしないが、前述したグリップ補助具１を手袋の内面に接着、縫合等の手段によって一体に設け、手袋を手に装着することにより、グリップ補助具１としての機能を発揮させるように構成しても良い。
【００２８】
上記のようなグリップ補助具がなぜ有効かというと、図８に示すように中指１０、薬指１３の握り面に肉厚１６を加えることでグリップ力が大きくなってインパクトの瞬間にずれるのを防止できるということによる。
【００２９】
すなわち、中指１０、薬指１３の内側を肉厚にしない、すなわち通常の状態で握ると図９に示すように拳の外側がフラット１７になって通常のグリップ力となり、この状態でインパクトをすることになる。
【００３０】
これに対し、既述の図８の場合のように中指１０、薬指１３の握り面（内側）を肉厚１６にすることでグリップ力が大きくなってインパクトの瞬間にずれるのを防止できる。たとえば図１０に示すように、帯状のグリップ補助具を取り付けると中指１０と薬指１３との内側が肉厚となって図１１に示すように拳の外側がラウンド１８となって手首が固定され、インパクトの瞬間に手首が動くことを防止できる。すなわち、中指１０および薬指１３の内側を肉厚とすることで指の内側に押圧力が増加して固定力が大きくなる。したがって、自然の握り状態で中指１０と薬指１３との肉厚を厚くすることで大きなグリップ力を得ることができてインパクトの瞬間に手首を固定することができるということによる。
【００３１】
図１２〜図１４にはこの発明によるグリップ補助具２１の他の形態のものが示されていて、図１２はグリップ補助具を示す概略図、図１３はグリップ補助具を１本の指に装着した状態を示す概略図、図１４はグリップ補助具を５本の指に装着した状態を示す概略図である。このグリップ補助具２１は所定の幅を有するとともに、指に被嵌される主要部である本体部２２と、この本体部２２の一側に幅の長さに設けられた突出部である突起部２３とを有している。そして、図１３に示す状態にあっては、前記突起部が掌の内方に突出した状態が、また、図１４に示す状態にあっては、５本の指に被嵌した状態に装着して前記各突起部が掌の内方に突出した状態が示されている。
【００３２】
図１５、図１６には図１２に示すグリップ補助具２１の他の形態の他の装着状態を示し、この装着状態にあっては親指以外の他の４本の指のうちの少なくとも１本の指、図１５では１本の指に装着した状態を示す概略図、図１６には４本の指に装着した状態が示されている。そしてこの装着状態においては突出部となる前記突起部２３は隣接する指の方向に突出した状態で指にグリップ補助具２１が被嵌している。
この場合、人差し指および小指に被嵌した場合にはそれぞれ中指および薬指方向に突起部２３が向くようになっている。なお、４本の指に装着した時は、人差し指と中指との間、または薬指と小指との間に突起部２３が重複する場合があるが使用に際しては問題はない。
【００３３】
上記のように指の内方、あるいは側方に突起部２３が位置することにより上記の各実施の形態と同様に大きなグリップ力を得ることができてインパクトの瞬間に手首を固定することができる。
【００３４】
なお、上記の各実施の形態には主要部としてベルト状のバンド部を巻回するものや所定の幅を有する筒状の本体部を被嵌するものを示したが、要は少なくとも１本の指を周回すれば良いのであって、ベルト状のものや筒状のものに限定することはないものである。
【図面の簡単な説明】
【００３５】
【図１】本発明によるグリップ補助具の第１の実施の形態の全体を示した斜視図である。
【図２】図１に示すグリップ補助具を手指に装着した状態を示した説明図であって、手のひら側から見た説明図である。
【図３】図１に示すグリップ補助具を手指に装着し、ゴルフクラブのグリップを握った状態を示した説明図である。
【図４】第１の実施の形態のグリップ補助具の変形例を示した部分拡大断面図である。
【図５】本発明によるグリップ補助具の第２の実施の形態の全体を示した斜視図である。
【図６】図５に示すグリップ補助具を手指に装着した状態を示した説明図であって、手のひら側から見た説明図である。
【図７】図５に示すグリップ補助具を手指に装着し、ゴルフクラブのグリップを握った状態を示した説明図である。
【図８】肉厚にしてグリップ力を高めるのに有効な中指および薬指の内側を示す概略図である。
【図９】拳の外側がフラットになっている通常の握り状態を示す概略図である。
【図１０】帯状のグリップ補助具を取り付けた状態を示す概略図である。
【図１１】拳の外側がラウンドとなっているグリップ補助具を取り付けた状態を示す概略図である。
【図１２】本発明によるグリップ補助具の他の形態のものを示す概略図である。
【図１３】他の形態のものを１本の指に装着した状態を示す概略図である。
【図１４】図１３に示すものを５本の指に装着した状態を示す概略図である。
【図１５】図１２に示すものの他の装着状態を示し、１本の指に装着した状態を示す概略図である。
【図１６】図１２に示すものの他の装着状態を示し、５本の指に装着した状態を示す概略図である。
【符号の説明】
【００３６】
１、２１  グリップ補助具
２  バンド部
３  外バンド部
４  内バンド部
５  突起
６  第１バンド部
７  第２バンド部
８  固着手段
１０  中指
１１  第２関節
１２  第３関節
１３  薬指
１４  第２関節
１５  第３関節
１６  肉厚
１７  フラット
１８  ラウンド
２０  グリップ
２２  本体部
２３  突起部
【図１】
2006198235.tif 000003
【図２】
2006198235.tif 000004
【図３】
2006198235.tif 000005
【図４】
2006198235.tif 000006
【図５】
2006198235.tif 000007
【図６】
2006198235.tif 000008
【図７】
2006198235.tif 000009
【図８】
2006198235.tif 000010
【図９】
2006198235.tif 000011
【図１０】
2006198235.tif 000012
【図１１】
2006198235.tif 000013
【図１２】
2006198235.tif 000014
【図１３】
2006198235.tif 000015
【図１４】
2006198235.tif 000016
【図１５】
2006198235.tif 000017
【図１６】
2006198235.tif 000018